(57)【特許請求の範囲】
【請求項１】
無線通信装置と、前記無線通信装置と無線で接続され周波数ホッピング方式を用いて通信を行なう無線制御装置を有する無線通信システムにおいて、
前記無線制御装置は、周波数ホッピング通信で用いるホッピングパターンを構成するホッピングパターン構成手段と、
前記ホッピングパターン構成手段で構成したホッピングパターンを前記無線通信装置に通知する通知手段と、
前記無線通信装置が間欠受信を行なっている際に、ホッピングパターンを変更する場合は、前記無線通信装置に間欠受信の終了を指示すると共に、前記変更したホッピングパターンを前記通知手段により通知する様に制御する第１の制御手段を有し、
前記無線通信装置は、前記通知手段により通知されたホッピングパターンに基づいて間欠受信を行なう間欠受信手段と、
前記間欠受信手段により間欠受信を行っている最中に間欠受信の終了が指示されると、間欠受信を終了し、前記通知手段からホッピングパターンの通知を受ける状態に移行する様に制御する第２の制御手段を有することを特徴とする無線通信システム。
【請求項２】
請求項１において、
前記無線制御装置は、前記無線通信装置が前記無線制御装置と同期をとるための情報を送信する送信手段を有し、
前記間欠受信手段は、所定時間毎に前記同期をとるための情報を受信することを特徴とする無線通信システム。
【請求項３】
請求項１において、
前記間欠受信手段は、前記通知手段により通知されたホッピングパターン１周期の時間と間欠受信を行なう間隔の時間の関係に基づいて間欠受信を行なう周波数を決定することを特徴とする無線通信システム。
【請求項４】
請求項３において、
前記通知手段により通知されたホッピングパターン１周期の時間と間欠受信を行なう間隔の時間の関係は、前記ホッピングパターン１周期の時間が間欠受信を行なう間隔の時間で割り切れる関係であることを特徴とする無線通信システム。
【請求項５】
請求項３において、
前記通知手段により通知されたホッピングパターン１周期の時間と間欠受信を行なう間隔の時間の関係は、間欠受信を行なう間隔の時間が前記ホッピングパターン１周期の時間の２倍以上の整数倍であることを特徴とする無線通信システム。
【請求項６】
請求項１において、
前記無線制御装置が変更したホッピングパターンを通知する場合は、前記無線通信装置に対してホッピングパターンの変更を示す情報を送信することを特徴とする無線通信システム。
【請求項７】
無線通信装置を収容し、周波数ホッピング方式を用いて通信を行なう無線制御装置において、
周波数ホッピング通信で用いるホッピングパターンを構成するホッピングパターン構成手段と、
前記ホッピングパターン構成手段で構成したホッピングパターンを前記無線通信装置に通知する通知手段と、
前記無線通信装置が間欠受信を行なっている際に、ホッピングパターンを変更する場合は、前記無線通信装置に間欠受信の終了を指示すると共に、前記変更したホッピングパターンを前記通知手段により通知する様に制御する制御手段を有することを特徴とする無線制御装置。
【請求項８】
請求項７において、
前記無線制御装置は、前記無線通信装置が前記無線制御装置と同期をとるための情報を送信する送信手段を有することを特徴とする無線制御装置。
【請求項９】
請求項７において、
前記変更したホッピングパターンを通知する場合は、ホッピングパターンの変更を示す情報を送信することを特徴とする無線制御装置。
【請求項１０】
無線通信装置と、前記無線通信装置と無線で接続され周波数ホッピング方式を用いて通信を行なう無線制御装置を有する無線通信システムの制御方法において、
前記無線制御装置は、前記無線通信装置が間欠受信を行なっている際に、ホッピングパターンの変更を決定すると、前記無線通信装置に間欠受信の終了を指示すると共に、変更したホッピングパターンの通知を行い、
前記無線通信装置は、間欠受信を行なっている際に、間欠受信の終了を指示されると間欠受信を終了し、前記無線制御装置からホッピングパターンの通知を受ける状態に移行することを特徴とする制御方法。
【請求項１１】
無線通信装置を収容し、周波数ホッピング方式を用いて通信を行なう無線制御装置の制御方法において、
前記無線通信装置が間欠受信を行なっている際に、ホッピングパターンの変更を決定すると、前記無線通信装置に間欠受信の終了を指示すると共に、変更したホッピングパターンの通知を行なうことを特徴とする制御方法。
【請求項１２】
周波数ホッピング通信を行う無線通信装置において、
他の無線通信装置が間欠受信を行っている際に、ホッピングパターンを変更する場合は、前記他の無線通信装置の間欠受信を終了させ、変更したホッピングパターンを前記他の無線通信装置に通知することを特徴とする無線通信装置。
【請求項１３】
周波数ホッピング通信を行う無線通信装置において、
他の無線通信装置が送信する情報を間欠受信している最中に、ホッピングパターンが変更される場合は、前記他の無線通信装置からの指示に応じて、間欠受信を終了し、変更したホッピングパターンの通知を受ける状態に移行することを特徴とする無線通信装置。
【発明の詳細な説明】
【０００１】
【発明の属する技術分野】
本発明は周波数ホッピング方式を用いた無線通信システム及び無線通信装置に関する。
【０００２】
【従来の技術】
従来、無線通信装置と無線通信装置を制御する制御局は、予め定められた制御専用の周波数と通信専用の周波数を用いて通信を行なう。
【０００３】
制御局と無線通信装置が通信を行なっていない場合には、制御局が所定時間毎に制御情報を制御専用の周波数で間欠送信し、無線通信装置は所定時間毎に制御情報の受信動作を行なう間欠受信を行なっている。
【０００４】
この間欠受信を開始するにあたり、無線通信装置は、制御専用の周波数の中のいずれかの周波数で制御情報を受信できるまで受信動作を行ない、制御情報が受信できると制御情報から制御局が間欠送信に使用する周波数や間欠送信する間隔を読み取り、それらの情報を用いて間欠受信を開始する。
【０００５】
この間欠受信の間隔は、使用頻度の高い無線通信装置程短く、使用頻度の低い無線通信装置程長く設定される。
【０００６】
これは、使用頻度の高い無線通信装置は着信等が頻繁に発生するので制御情報を頻繁に受信できる方が操作性が良くなり、使用頻度の低い無線通信装置は、着信等があまりないので操作性よりもバッテリーの消費量を少なくするためである。
【０００７】
また、無線通信装置は間欠受信中に制御情報が受信できなくなると、再度間欠受信開始時と同様な動作を行い、間欠受信を継続する。
【０００８】
この無線通信装置が使用する制御用の周波数は予め決められているので間欠受信開始時に制御情報を受信できるまでさして時間はかからない。
【０００９】
また、無線通信の方式の１つとして周波数ホッピング方式がある。
【００１０】
周波数ホッピング方式を用いた通信を行なう場合、制御局はシステムで使用することができる全ての周波数の状態をチェックし、電波環境の良い周波数を選びシステムで使用する基本ホッピングパターンを作成する。
【００１１】
そして、その基本ホッピングパターンの全ての周波数毎に端末局が同期をとれるように同期フレームと制御情報を送信する。また、端末局においては、基本ホッピングパターンのいずれかの周波数で同期フレームを受信すると、その周波数で同期フレームが送信される毎に受信動作を行なうことによって間欠受信を行ない、制御局と同期をとると共に、制御情報に従った制御を行なう。
【００１２】
即ち、ホッピングパターンが１周する毎に受信動作を行なっている。
【００１３】
また、制御局は、基本ホッピングパターンで使用している周波数の環境が悪化したことを検出した場合、未使用の周波数の状態をチェックして環境が良いと判断すると基本ホッピングパターンで使用する周波数を変更する。
【００１４】
この従来の周波数ホッピング方式の間欠受信の動作と、ホッピングパターン変更処理を図１５、図１６、図１７を用いて説明する。
【００１５】
図１５に従来の制御局の動作フローチャートを示す。
【００１６】
図１５において、Ｊ１１でシステムで使用できる全ての周波数の電波環境測定処理を行う。Ｊ１２で電波環境の良い周波数を選び出し、基本ホッピングパターン（ＨＰ）を決定し、Ｊ１３で周波数を切り替えながら基本ホッピングパターンの全ての周波数で同期フレームを送信する通常処理動作中に、Ｊ１４で基本ホッピングパターンで使用している周波数の電波環境の測定を行なう。測定の結果、Ｊ１５でホッピングパターン変更の必要を検出すると、Ｊ１６にて端末局に関係なく使用するホッピングパターンの変更を行う。
【００１７】
図１６に端末局の動作フローチャートを示す。
【００１８】
Ｊ１２で端末局がある周波数で間欠受信を行なっているときに、Ｊ２２で所定時間の計時（ホッピングパターン１周分の計時）を行い所定時間毎の集中制御局からの同期信号を受信する準備を行う。Ｊ２３で所定時間経過したことを検出すると、Ｊ２４で同期確認のために受信状態へ制御を行う。受信信号によりＪ２５で同期がとれたことを確認すると、再びＪ２１で間欠受信を行う。
【００１９】
Ｊ２５で同期がとれないことを確認すると、Ｊ２６で同期がとれない回数は所定回数かを判断し、所定回数に達していなければ、Ｊ２１で間欠受信を続け、所定回数に達すると、Ｊ２７で間欠受信時の周波数で待期し、所定時間内に再び同期フレームを受信して同期がとれるかを判断する（Ｊ２８、Ｊ２９）。
【００２０】
所定時間を経過しても同期がとれない場合は、Ｊ３０で再び電源の立ち上げを行ない、再度間欠受信を再開する。
【００２１】
図１７に従来のシステムの動作シーケンスを示す。
【００２２】
Ｊ３１・Ｊ３２で集中制御局がホッピング周波数ｆ１〜ｆ１０を用いて同期フレーム（ＣＮＴ）を端末局に送信しているときに、端末局では同期フレームをもとに周波数ｆ１で間欠受信を行う。図中の点線はｆ１〜ｆ１０のあいだ同期フレームを送信していることを示している。Ｊ３３・Ｊ３４で集中制御局がホッピングパターンの変更を行いｆ１１〜２０を使用する場合、周波数ｆ１１で送信される同期フレームを周波数ｆ１で間欠受信している端末局では受信できない。
【００２３】
同期フレームが所定回数（本例では２回）受信できない場合は、間欠受信を中止し、間欠受信で使用していた周波数で待期する。これは、間欠受信を行うタイミングがずれてしまったために同期フレームを受信することができない場合には、間欠受信を中止し、間欠受信で使用していた周波数で待機することにより同期フレームを受信できるからである。
【００２４】
しかし、間欠受信で使用していた周波数で待機していても同期フレームを受信できない場合は、Ｊ３６で立ち上げ処理を行ない、電源投入時と同様なホッピングパターンの獲得処理を行なう。即ち、任意の周波数ｆ３０で待機し、それでも同期フレームを受信できない場合は、Ｊ３７で受信する周波数を変更し、周波数ｆ１１で待機する。Ｊ３７で集中制御局からの同期フレームを受信できた場合、端末局はホッピングパターンを獲得する。Ｊ３８でホッピングパターンの獲得が終了すると端末局は間欠受信を行う周波数ｆ１１を決定しＪ３９で間欠受信を行う。
【００２５】
【発明が解決しようとする課題】
しかしながら、上記従来例において、周波数ホッピング方式を用いて通信を行なう端末が間欠受信を行なう場合には、任意の１つの周波数でホッピングパターン１周期毎に間欠受信を行なっているので、使用頻度の高い端末でもホッピングパターン１周期より短い時間で間欠受信を行なうことができなかった。
【００２６】
逆に使用頻度の低い端末でも間欠受信を行なう間隔を長くすることができなかった。
【００２７】
また、上記従来例において制御局において基本ホッピングパターンを変更する場合以下のような問題点があった。
【００２８】
端末局は図１６のＪ２４で間欠受信中所定時間毎に起動処理を行い任意の１つの周波数で制御局からの同期信号を受信する。しかし、制御局が何らかの理由により、ホッピングパターンで使用している周波数を変更すると、端末局側では間欠受信中に制御局からの同期信号を受信できなくなってしまう。この様な場合、端末局はしばらくは間欠受信を続け、それでも同期信号を受信できなければ立ち上げ処理を行い、同期信号の受信を行うので、制御局がホッピングパターンの変更を行ってから端末局が通信できる状態になるまでに時間がかかるという問題がある。
【００２９】
また、周波数環境が悪く、頻繁にホッピングパターンの変更を行なわれる様な場所では、端末局は頻繁に立ち上げ処理を行なうのでバッテリー消費が早くなるという問題がある。
【００３０】
さらに、ホッピングパターンで使用する周波数を全て変更した場合、間欠受信を行っている端末局が全て再起動および再立ち上げ処理を行う必要があり、間欠受信を行っている端末局全てが使用不能な状態になる可能性がありシステムの信頼性を低下させる問題があった。
【００３１】
【課題を解決するための手段】
本願発明は上記課題を解決するために、ホッピングパターンの変更を決定すると、間欠受信している無線通信装置の間欠受信を終了させてから新しいホッピングパターン通知を行ない、無線通信装置は間欠受信の終了を指示されると間欠受信を終了して新しいしホッピングパターンの通知を受ける状態に移行する様にする。
【００３２】
【発明の実施の形態】
（システム構成）
本無線通信システムのシステム構成図を図１に示す。
【００３３】
本無線通信システムは、システム内に収容される端末同士の通信を管理、制御する集中制御局と端末局から構成され、後述する本無線通信システムの無線フレームを用いて、集中端末局から指定された制御データを元に端末局同士が周波数ホッピング方式を用いた無線通信を行う。
【００３４】
なお、この集中制御局には、システム内の端末局の中から任意の１台（または、それ以上）がなることが出来る。
【００３５】
では、以下にシステムを構成する個々の端末を詳細に説明する。
【００３６】
本無線通信システムは、公衆回線１０２を収容し、システム内の端末局に公衆網通信サービスを提供する網制御装置１０１、集中制御局又は他の端末局との間で制御データ又は音声データを交換し、公衆回線１０２を介した音声通話を行うと共に、複数の端末局間でいわゆる内線間通話を行う無線電話機１０３、集中制御局又は他の端末局との間で制御データの通信およびデータ通信を行う無線データ端末（１０４から１０９）で構成される。
【００３７】
なお以下、無線電話機、無線データ端末の端末局を総称して無線端末１１０（１０３から１０９の総称番号）と呼ぶ。
【００３８】
また、無線データ端末（１０４から１０９）とは、データをバースト的に送受信する機能を有する端末機器（データ端末）もしくはデータ入出力機器と無線通信を司る無線アダプタを接続したもの、または、それらを一体化した端末機器を指しており、例えば図中に示す、コンピュータ１０４、マルチメディア端末１０５、プリンタ１０６、ファクシミリ１０７、複写機１０８、ＬＡＮゲートウエイ１０９の他に、電子カメラ、ビデオカメラ、スキャナ等の機器が該当する。
【００３９】
これらの無線電話機１０３や無線データ端末１０４〜１０９は、それぞれの端末間で自由に通信を行うことができると同時に、公衆網１０２にもアクセス可能である点が本無線通信システムの大きな特徴である。以下、その詳細構成と動作を説明する。
【００４０】
（１）無線電話機
図２は図１における無線電話機１０３の内部構成を示した図である。
【００４１】
主制御部２０１は無線電話機１０３全体の制御を司る。メモリ２０２は主制御部２０１の制御プログラムが格納されたＲＯＭ、本無線通信システムの呼出符号（システムＩＤ）、無線電話機のサブＩＤを記憶するＥＥＰＲＯＭ、主制御部２０１処理で端末種別情報を記憶するなど制御の為のワークエリアとなるＲＡＭ等から構成される。
【００４２】
ＡＤＰＣＭコーデック部２０３は後述するハンドセット２０６、スピーカ２０７の入出力ブロックと、アナログ音声情報をＡＤＰＣＭ（Ａｄａｐｔｉｖｅ  Ｄｉｆｆｅｒｅｎｔｉａｌ  Ｐｕｌｓｅ  Ｃｏｄｅ  Ｍｏｄｅｌａｔｉｏｎ）符号に変換すると共に、ＡＤＰＣＭ符号化された情報をアナログ音声情報に変換する。チェネルコーデック部２０４は基本ホッピングパターン情報を書き込むレジスタを有するとともに、周波数切り換え、間欠受信、キャリア検出、レベル検知、ビット同期、ＡＤＰＣＭ符号化された情報にスクランブル等の処理を行うと共に所定のフレームに時分割多重化するとともに、後述する無線部２０５の送受信を行う機能を有する。このチェネルコーデック部２０４で後述する無線フレームに組み立てられたデータが無線部を介して主装置や目的とする端末局へ伝送されることになる。
【００４３】
無線部２０５はチェネルコーデック部２０４からのデジタル情報を変調して無線送信可能な形式に変換してアンテナに送ると共に、アンテナより無線受信した情報を復調してデジタル情報に変換する。ハンドセット２０６は通話音声信号の入出力をおこなう。スピーカ２０７は音声信号の拡声出力および着信音等を鳴動させる。キーマトリクス２０８はダイヤル番号等を入力するダイヤルキーや、外線キー、保留キー、スピーカキー等の機能キーから構成される。表示部２０９は着信の表示やキーマトリクス２０８より入力されるダイヤル番号や公衆回線の使用状況等を表示する。
【００４４】
（２）無線アダプタ
図３は図１中１０４から１０９までの無線データ端末機器に接続または内蔵される無線アダプタの内部構成を示す図である。
【００４５】
同図において、３０１はコンピュータに代表されるデータ端末やプリンタ、ファクシミリに代表される周辺機器である。３０２は無線アダプタでありデータ端末若しくは周辺機器に通信ケーブルもしくは内部バスを介して接続可能である。この無線アダプタ３０２に含まれる３０３は無線部であり後述するチャネルコーデック部３０８からのデジタル情報を変調して無線送信可能な形式に変換してアンテナに送ると共に、アンテナより無線受信した情報を復調してデジタル情報に変換する。３０４は主制御部であり、ＣＰＵ及び、割り込み制御、ＤＭＡ制御等を行う周辺デバイス、システムクロック用の発振器などから構成され、無線アダプタ内の各ブロックの制御を行なう。３０５はメモリであり、制御プログラムが格納されたＲＯＭ、本無線通信システムの呼出符号（システムＩＤ）、無線アダプタのＩＤを記憶するＥＥＰＲＯＭ、主制御部３０４の処理で端末種別情報を記憶するなど制御の為のワークエリアとなるＲＡＭ等かに構成される。
【００４６】
３０６は通信インターフェース部であり、上述の３０１に示すようなデータ端末または周辺機器が装備する、例えば、ＲＳ２３２Ｃ、セントロニクス、ＬＡＮ等の通信インターフェースや、パーソナルコンピュータ、ワークステーションの内部バス、例えば、ＩＳＡバス、ＰＣＭＣＩＡインターフェース等を使用して無線アダプタ３０２が通信を行う為の制御を司る。３０７はタイマーであり、無線アダプタ内部の各ブロックが使用するタイミング情報を提供する。３０８はチャネルコーデック部であり、このチャネルコーデック部において、後述の図５に示す様な無線フレームの組み立て、分解を行うだけでなく、ＣＲＣ（ＣｙｃｌｉｃＲｅｄａｎｄａｎｃｙ  Ｃｈｅｃｋ）に代表される簡易的な誤り検出処理、スクランブル処理、無線部３０３の送受信の切り換え、周波数切り換え等等を御し、また、キャリア検出、レベル検知、ビット同期を行う機能を有する。
【００４７】
（３）網制御装置
図４は図１の１０１に示す網制御装置の内部構成を示した図面である。
【００４８】
図中、４０１は主制御部であり網制御装置１０１の全体制御を司り、システムで使用する基本ホッピングパターン（以下ＨＰ）を決めると共に各端末局の管理を行う。４０２はメモリであり、制御プログラムが格納されたＲＯＭ、本無線通信システムの呼出符号（システムＩＤ）、無線機のサブＩＤを記憶するＥＥＰＲＯＭ、主制御部４０１の処理で端末種別情報を記憶するなど制御の為のワークエリアとなるＲＡＭ等から構成される。４０３は回線インターフェース部であり、公衆網回線１０２を収容する為の選択コマンド送信、直流ループ閉結、２線４線変換、ＰＣＭ（Ｐｕｌｓｅ  Ｃｏｄｅ  Ｍｏｄｕｌａｔｉｏｎ）変換等の公衆網回線制御、選択コマンド受信、呼出コマンド送出処理を行う。４０４はＰＣＭコーデック部であり、公衆網１０２を介して回線インターフェース部４０３が受信したアナログ音声信号をＡＤＰＣＭ符号に変換し、後述するチャネルコーデック部４０５に転送すると共に、チャネルコーデック部４０５からのＡＤＰＣＭ符号化された音声信号をアナログ音声信号に変換する機能を有する。
【００４９】
４０５はチャネルコーデック部であり、基本ホッピングパターンのレジスタへの記憶を行うとともにＡＤＰＣＭ符号化された情報に、スクランブル等の処理を行うと共に所定のフレームに時分割多重化するとともに、後述する無線部４０６の送受信の切り換え、周波数切り換え等を制御し、また、間欠受信処理、キャリア検出、レベル検知、ビット同期を行う機能も有する。このチャネルコーデック部で、後述する無線フレームに組み立てられたデータが無線部を介して制御局や目的とする無線端末へ伝送されることになる。
【００５０】
４０６は無線部であり、チャネルコーデック部４０５からのフレーム化された情報を変調して無線送信可能な形式に変換してアンテナに送ると共に、アンテナより無線受信した情報を復調してデジタル情報に処理する無線部である。４０７は着信検出、ループ検出、ＰＢ信号、発信音、着信音等各種トーンを送出する検出部である。
【００５１】
（無線フレームの動作）
図５は、本実施の形態で用いるフレーム内部のチャネル構成を示した図である。同図において、ＣＮＴはシステム制御チャネルを示し、ＬＣＣＨは論理制御チャネルを示し、二つある音声チャネルを用いて双方向で音声データをやり取りし、データチャネルを用いて大容量のデータ通信を行う。ＥＮＤは次のフレームで周波数ホッピングするために周波数を変更するためのガード時間を示す。図５に示すように、本実施の形態で用いるフレームは、フレーム内部をＣＮＴ、ＬＣＣＨ、二つの音声チャネル、データチャネル、ＥＮＤの６つのチャネルから構成されている。
【００５２】
図６は、各チャネルの内部構成例で、同図において、ＣＳは１２．８ｕＳｅｃ分のキャリアセンス時間、ＰＲはビット同期捕捉のための５６ビットのプリアンブル、ＳＹＮは１ダミービット＋３１ビットのフレーム同期信号、ＩＤは６３ビットの呼び出し信号＋１ダミービットのシステムＩＤ、ＢＦは８ビットの基本フレーム番号情報（１〜２０をサイクル）、ＷＡはスリープモードの端末のうち、起動させる端末局のシステムアドレスおよび全端末と同時に制御するためのアドレス情報を記入するフィールド、ＮＦは次のフレームで使用する周波数情報、Ｒｅｖは隣接セルとの区別のためにエリア番号が格納される。ＧＴはガードタイム、ＣＳ０・ＣＳ１・ＣＳ２はキャリアセンス時間、ＤＡは送信先端末のアドレスや、全端末が受信するグローバルアドレス等のシステムアドレスを記入するフィールド、システム制御チャネルのＣＲＣはＢＦからＲｅｖまでのＣＲＣ情報、論理制御チャネルのＣＲＣはデータに対するＣＲＣ情報、音声チャネルのＣＲＣはＴ／ＲのＣＲＣ情報、ＣＦは周波数切り換え用のガードタイム、Ｔ／Ｒは送信または受信音声データ情報を示す。また、同図内に書いてある数字は、ビット数を表し、各部の長さの一例を示している。
【００５３】
ＣＮＴチャネルは集中制御局がフレームの開始時に送信し、集中制御局以外の局は通常動作時はビット同期とフレーム同期を確立するために必ずＣＮＴチャネルを受信する。端末局は、電源投入時ＣＮＴフレーム中のＮＦをもとに基本ホッピングパターンを得る。また間欠受信時は、集中制御局以外の局はビット同期とフレーム同期を確立するために所定時間毎に、任意の周波数でＣＮＴチャネルを受信する。また間欠受信時はＷＡ内のアドレス情報が自端末アドレスと一致した場合には、間欠受信を終了し常にＣＮＴフレームを受信する状態へと移行する。
【００５４】
ＬＣＣＨチャネルは端末局の初期登録時、無線チャネル接続や無線チャネル切断、無線チャネル接続に先だって集中制御局とホッピングパターンの割り当て要求をやり取りしたり、無線チャネル切断時に集中制御局とホッピングパターンの割り当て解除をやり取りしたり、端末局で間欠受信から通常動作に移行した時にその状態の移行を集中制御局に通知するとき等に使用する。無線チャネルの接続や切断は、ＬＣＣＨチャネル内に設けたＤＡフィールドに通信を希望する相手のシステムアドレスを記入し、直接相手とやり取りする。
【００５５】
また、システムに収容されている全端末に対して（集中制御局、端末局にかかわらず）データ通信を行う場合には、ＤＡフィールドに全端末が認識可能なグローバルアドレスを記入し、ＤＡＴＡ部に起動要求・登録要求や種別情報等の制御データをのせてＬＣＣＨの送信を行う。
【００５６】
音声チャネルは、二つあるうちの一方を送信で使用し、もう一方を受信することで音声通話を実現する。二つあるうちのどちらを送信で使用するかは無線チャネル接続時にやり取りするＬＣＣＨチャネルで相手と打ち合わせを行うことで決定する。
【００５７】
データチャネルは無線チャネル接続時にやり取りするＬＣＣＨチャネルで相手と打ち合わせを行うことで、どのようにデータ伝送を行うかを決定する。
【００５８】
（チャネルコーデック部の構成と動作説明）
図７にチャネルコーデック部の内部構成図を示しその動作が使用を述べる。
【００５９】
チャネルコーデック部は主に、主制御部との制御および伝送データのフレームへの組み立て分解、ＡＤＰＣＭコーデック部間での音声データの送受信およびフレームへの組み立て分解、および無線部のデータフレームの送受信の制御を行う機能を有する。
【００６０】
同図において、７０１はバスインターフェイス、７０２はＡＤＰＣＭバスでありＡＤＰＣＭコーデック部とＡＤＰＣＭインターフェイス７０３間をシリアルまたはパラレルでデジタル音声データを送受信して行う、７０３はＡＤＰＣＭインターフェイス、７０４は動作モードを設定するモードレジスタ、７０５はホッピングパターンレジスタ、７０６はフレーム番号／次周波数番号（ＢＦ／ＮＦ）レジスタ、７０７はシステムＩＤレジスタ、７０８は間欠起動端末（ＷＡ）アドレスレジスタ、７０９はＬＣＣＨレジスタ、７１０はＦＩＦＯ（Ｆｉｒｓｔ−ｉｎＦｉｒｓｔ−ｏｕｔ）バッファ、７１１はタイミング生成部、７１２はＣＮＴチャネル組立／分解部、７１３はＬＣＣＨ（論理制御チャネル）組立／分解部、７１４はデータ組立／分解部、７１５は音声組立／分解部、７１６はフレーム同期部、７１７はユニークワード検出部、７１８はＣＲＣ符号化／復号化部、７１９はビット同期部、７２０は無線制御部、７２１は間欠受信制御部、７２２はスクランブラ／デスクランブラ、７２３はＡＤコンバータ、７２４は受信レベル検出部、７２５は主制御部への割り込み信号である。
【００６１】
以下、同図に従ってチャネルコーデック部の動作の説明を行う。
【００６２】
チャネルコーデック部の動作タイミングの基準は、チャネルコーデックのタイミング生成部７１１で生成される。
【００６３】
集中制御局側では、主制御部がチャネルコーデック内部のＨＰ（基本ホッピングパターン）レジスタ７０５、ＩＤレジスタ７０７、ＷＡ（起動端末アドレス）レジスタ７０８に必要な値を書き込み、タイミング生成部７１１のタイミングに従ってこれらのレジスタの内容を読み出して、フレームを組み立てて送信を行う。フレームを受信した端末局では、フレーム同期ワードに従ってフレーム同期を保持し、チャネルコーデック内部のＨＰ（基本ホッピングパターン）レジスタ７０５、ＩＤレジスタ７０７、ＷＡ（起動端末アドレス）レジスタ７０８に格納される。
【００６４】
また、タイミング生成部７１１のタイミングに同期して、フレーム番号／次フレーム周波数番号（ＢＦ／ＮＦ）レジスタ７０６内部の値は更新される。
【００６５】
チャネルコーデック部はＣＮＴチャネルのデータを送信するタイミングでこれらのレジスタ内のデータを読みだし、ＣＮＴ組立／分解部１１１２でデータの組み立てを行って無線部にデータを送る。
【００６６】
一方、端末局においては、無線部からＣＮＴチャネルでデータを受信すると、ＣＮＴ組立／分解部７１２で分解を行い、受信した各部の値を使って処理を行う。受信したシステムＩＤが自局のＩＤレジスタ７０７に書き込まれた値と一致した場合のみそれ以降のデータを受信するように制御する。間欠受信中に受信したＷＡが自局のＷＡレジスタ７０８の値と一致した場合には起動要求割り込みを主制御部に出力し、ＣＮＴ信号を常に受信する制御へと移行する。さらに、受信したＢＦ、ＮＦ情報データを利用してホッピングパターンレジスタ７０５のテーブルを書き換える。
【００６７】
なお、本実施の形態においては図５に示すように１つのフレームは１つの周波数を使用するようにしているが、ＮＦフィールドに書かれる周波数番号はＣＮＴチャネルのホッピングパターンのものとし、音声チャネル、データチャネルで使用するホッピングパターンは、ＮＦフィールドに書かれた周波数番号に基づいて作成されるホッピングパターンレジスタを時間シフトすることによって生成する構成にすることも可能である。
【００６８】
ＬＣＣＨチャネルでは、送信側無線端末の主制御部がチャネルコーデック内部のＬＣＣＨレジスタ７０９に格納したデータがＬＣＣＨ組立／分解部７１３で組み立てられ、所定のタイミングで無線部に送出される。該信号を受信した無線端末は受信したＬＣＣＨデータはＬＣＣＨ組立／分解部７１３で分解し、ＬＣＣＨ内のＤＡ１またはＤＡ２アドレスが自端末アドレスに一致していた場合、チャネルコーデック内部のＬＣＣＨレジスタ７０９に一旦格納された後、主制御部に対して割り込みを発生し、主制御部が読み取る。
【００６９】
音声チャネルでは、ハンドセットや公衆網等から入力された音声信号がＡＤＰＣＭコーデック部でデジタル符号化された後、ＡＤＰＣＭバス７０２を介してＡＤＰＣＭインターフェイス７０３を介してチャネルコーデックに取り込まれる。チャネルコーデックにおいては音声組立／分解部７１５において入力されたデータを組み立て、所定のタイミングで無線部に送出する。逆に、無線部から受信した音声データは音声組立／分解部７１５において分解され、ＡＤＰＣＭインターフェイス７０３、ＡＤＰＣＭバス７０２を介してＰＣＭコーデック部に８ＫＨｚのクロックに同期するタイミングで出力され、ＰＣＭコーデック部でＤ／Ａ変換されハンドセットや公衆網へ音声が出力される。
【００７０】
データチェネルでは、主制御部よりデータ送信要求を行った場合のみデータが送信される。データ送信要求が行われれている場合、チャネルコーデック部のバスインターフェース７０１は１バイドごとのタイミングで送信リクエストを主制御部へ出力する。送信リクエストに主制御部が応じてワーク用のメモリ内のデータをチャネルコーデック部にバスインタ−フェース７０１を介してデータが書き込まれると、データ組立／分解部７１４においてデータをシリアルに変換して所定のタイミングで無線部に送出する。逆に、無線部よりデータを受信した場合にはデータ組立／分解部７１４においてデータをパラレルに変換して１バイトごとに送信リクエストを主制御部へ出力し、主制御部は受信データをワーク用のメモリに転送する。このデータの転送方法としては主制御部への割り込みまたはＤＭＡによるデータの転送が考えられる。
【００７１】
データ送信時には必要に応じてＣＲＣ符合化／復号部７１８でＣＲＣ符号を生成し、フレームのＣＲＣフィールドに格納して送信する。受信側では受信したフレームをＣＲＣ符合化／復号部７１８でＣＲＣチェックを行い、誤りの発生を検出することができる。また、フレーム同期ワード、ユニークワード以外の全ての送信データにはスクランブラ／ディスクランブラ７２２においてスクランブルがかけられる。これは無線部に送られるデータの不平衡性を下げると共に、同期クロック抽出を容易にするためである。
【００７２】
逆にデータ受信時にはＵＷ検出部７１７でユニークワードを検出したタイミングでスクランブラ／ディスクランブラ７２２においてディスクランブルを行い、その後ＣＲＣ符合化／復号部７１８でＣＲＣチェックを行い、各フィールドの組立／分解部にデータを入力する。
【００７３】
以上のようにして、所定のフレームに従った音声、データの無線伝送を行うものである。
【００７４】
以下本システムの具体的動作を幾つかの場合に分けて動作説明する。
【００７５】
以下の説明において起動処理は間欠受信を終了し、ＣＮＴフレームを常に受信する通常モードに移行することを示す。
【００７６】
また再立ち上げ処理は電源投入時に周波数を獲得する時と同様の処理を示す。
【００７７】
１．電源立ち上げ時の処理
（１）電源立ち上げ時の制御局及び端末局のシーケンス
図８は本システムにおける電源投入時の集中制御局および端末局の動作を示すシーケンスである。
【００７８】
Ｓ８０１で電源立ち上げが行われ端末の初期化を行う。初期化処理として端末は自分が集中制御局であるか端末局であるかを判断し、集中制御局であることを認識すると、電波環境の測定を行いホッピングパターンを決定し、同期信号、ＩＤ、ホッピングパターン情報、自分のエリア番号等をフレームに組み立て、所定のタイミング毎にＣＮＴフレームとして出力を行う。
【００７９】
同様に端末立ち上げ後、初期化処理として自端末が端末局であることを認識すると、自端末のアドレスおよび受信する制御局のエリア番号の記憶を行うと共に、所定の内線グループ毎、または端末局全体が受信するグローバルアドレス等の記憶を行う。
【００８０】
該処理が終了すると集中制御局からのＣＮＴフレームを任意の周波数で待つ。集中制御局からのＣＮＴフレームを受信すると、エリア番号を基にして、該フレーム中のＮＦを基に次の単位時間にホップする周波数を取得する。端末局は受信した周波数を共に受信周波数を変え、次のＣＮＴフレームを待つ。端末局ではこの処理を繰り返し、集中制御局で使用しているホッピングパターンを認識し、これをチャネルコーデックに記憶する。
【００８１】
端末局においてホッピングパターンの記憶が終了すると、Ｓ８０２で端末局よりＬＣＣＨフレームを用いて新たに端末局として加わることを通知する。このときＬＣＣＨフレームのＤＡに全ての端末が受信するグローバルアドレスをいれ、またデータ部には新規の登録を行うことを示すデータをいれて送信する。集中制御局ではＬＣＣＨフレームを受信しその中のＤＡにグローバルアドレスがあるとデータ部のデータを受信し、端末局のアドレスおよび登録要求信号があった場合は、該情報を基に端末局アドレスおよび端末局の種別情報を記憶し新規に登録する。
【００８２】
該登録が終了するとＳ８０３で集中制御局は新規登録した端末局にたいして、集中制御局のアドレスをＬＣＣＨフレームを用いて通知する。端末局ではＬＣＣＨフレームにより制御局のアドレスを受信すると集中制御局のアドレスを記憶し、該処理が終了後Ｓ８０４で集中制御局に対してＬＣＣＨフレームを用いて立ち上げ完了通知を行う。集中制御局で端末局からの立ち上げ完了通知を受信すると動作状態となり、計時処理を行い自端末の種別をＬＣＣＨを用いて所定時間毎に出力する。集中制御局および他の端末局では受信した端末種別情報より端末種別およびアドレス情報を記憶し該端末局が通信可能範囲内に存在することおよび間欠受信を行っている周波数情報の記憶をおこなう。
【００８３】
端末局では立ち上げ完了通知を出力後にＳ８０６において端末局からの発信が可能となる。
【００８４】
（２）集中制御局における電源立ち上げ時のの動作
図９は集中制御局における電源投入時の動作フローチャートである。
【００８５】
Ｓ９０１で端末の電源がＯＮされると、Ｓ９０２で端末の初期化が行われ動作状態となる。該処理の結果Ｓ９０３で端末が集中制御局であることを認識するとＳ９０４で自端末のＩＤ情報、アドレス情報およびエリア情報を記憶するための処理を行う。エリア情報および端末アドレス情報を入力する手段として立ち上げ時にＤＩＰスイッチ等で設定しておいた値を記憶する場合や、電話機等のダイヤルキーにより入力された値を記憶する場合や、コンピュータ等のキーボードで入力された値を、バスを介して受け取り記憶することが考えられる。
【００８６】
該アドレス情報を受信するとＳ９０５で入力された値が有効であるかを判断し、有効でない場合は９０４で再度アドレス情報を記憶する処理を行う。Ｓ９０５で記憶されたアドレスが有効であることを確認するとＳ９０６で使用する周波数を決定するための処理を行う。このとき集中制御局は使用可能な周波数全てをキャリアセンスしその中のもっとも電波状態の良い周波数を所定の数選び出す。Ｓ９０７で電波状態の良い周波数を獲得した結果、使用可能な周波数が所定の数以下であった場合は、Ｓ９１２で所定の時間キャリアセンスを行ったかを検出する。所定の時間行っていない場合はＳ９０６で周波数を決定するための処理を続ける。Ｓ９１２で所定の時間経過したことを検出すると、Ｓ９１３で集中制御局において所定の周波数を獲得できなかったことを画面表示や音により通知する。該処理後Ｓ９１４で再び周波数を獲得する要求がある場合は、Ｓ９０６で周波数を獲得するための処理を行う。Ｓ９１４で再試験の要求がない場合はＳ９１３で周波数獲得不可能であることを通知する。
【００８７】
また、Ｓ９０７で所定の周波数を獲得できた場合、Ｓ９０８で該獲得した周波数を用いてホッピングパターンを決定する。ホッピングパターンが決定されるとＳ９０９でＣＮＴフレームを組み立てるための処理を行う。ＣＮＴフレームは同期信号、ＩＤ、エリア番号、周波数情報を含んだフレームである。
【００８８】
該ＣＮＴフレームの組み立てが終了すると決定したホッピングパターンのうちの１つの周波数を用いてＳ９１０でＣＮＴフレームを送信する処理をおこない、Ｓ９１１で決定したホッピングパターンを基に周波数を変えながらＣＮＴフレームを送信する通常の処理へと移行する。
【００８９】
（３）端末局における電源投入時の動作
図１０は端末局における電源投入時の動作を示すフローチャートである。
【００９０】
Ｓ９００１で端末の電源が投入されると、Ｓ１００２で端末の初期化が行われ動作状態となる。該処理の結果Ｓ１００３で端末が端末局であることを認識するとＳ１００４で自端末が電話端末、データ端末、網制御端末なのかの端末種別を認識する。該認識処理が終了すると、自端末のＩＤ情報、アドレス情報およびエリア情報を記憶するための処理を行う（Ｓ１００５）。端末局、集中制御局の判定手段、エリア情報および端末アドレス情報を入力する手段としては立ち上げ時にＤＩＰスイッチ等で設定しておいた値を記憶する場合や、電話機等のダイヤルキーにより入力された値を記憶する場合や、コンピュータ等のキーボードで入力された値を、バスを介して受け取り記憶することが考えられる。
【００９１】
アドレス情報を読み取るとＳ１００６で入力された値が有効であるかを判断し、有効でない場合はＳ１００５で再度アドレス情報を記憶する処理を行う。Ｓ１００６で記憶されたアドレスが有効であることを確認するとＳ１００７で使用するホッピングパターンを獲得するための処理を行う。
【００９２】
ホッピングパターン獲得の処理としては図１１に示す様に、Ｓ１１０１で任意の周波数（例えばｆ１）で待期する。Ｓ１１０２でｆ１で待期中、所定時間内（Ｓ１１０８）にＣＮＴフレームを受信できなければ周波数を変えて（Ｓ１１０９）ＣＮＴフレームの受信を待つ。
【００９３】
また、ＣＮＴフレームが受信できても（Ｓ１１０２）、ＣＮＴフレーム中のＲｅｖ部のエリア番号が自端末に記憶されているエリア番号と一致しなければ（Ｓ１１０３）、受信したＣＮＴフレームを廃棄し（Ｓ１１０７）、エリア番号が一致するＣＮＴフレームの受信を待つ。
【００９４】
この様にエリア番号が一致するＣＮＴフレームを受信するまで、所定時間毎に周波数を変えて待期し、ある周波数でエリア番号が一致するＣＮＴフレームを受信できると（Ｓ１１０３）、ＣＮＴフレーム中のＮＦ部から次の単位時間にホッピングする周波数を取得する（Ｓ１１０４）。そして、取得した周波数の数が所定数（ホッピングパターンの周波数の数）でなければ取得した周波数に移動して（Ｓ１１０６）再びＣＮＴフレームの受信を行い、更に次の単位時間にホッピングする周波数を取得する。
【００９５】
この動作を繰り返すことにより、取得した周波数の数が所定数になるとホッピングパターンを獲得を完了し（Ｓ１１１０）、チャネルコーデック部のＨＰレジスタ７０５に記憶する。
【００９６】
そして、ホッピングパターン獲得処理が終了すると、Ｓ１００９でＬＣＣＨフレームを用いて端末局のアドレスを集中制御局に通知するための処理を行う。ここではＬＣＣＨフレームを用いて、該フレーム中のＤＡに全端末が受信するグローバルアドレスを書き込み、ＤＡＴＡ部には登録要求および自端末アドレスをのせ集中制御局に送信する。該信号送信後端末局はＳ１０１０で獲得したホッピングパターンに従い周波数を変化させながらＬＣＣＨフレームを受信する。Ｓ１０１１で受信したＬＣＣＨフレーム中のＤＡに自端末と同一のアドレスを確認できない場合は、Ｓ１０１５で自端末アドレス送信後、所定時間が経過したかを監視する。所定時間が経過していない場合は、集中制御局からのＬＣＣＨフレームでの集中制御局アドレスを受信するための処理を続ける。Ｓ１０１５で所定時間経過したことを検出すると、Ｓ１００９でＬＣＣＨフレームを用いて再び集中制御局に対して自端末アドレスを通知するための処理を行う。
【００９７】
Ｓ１０１１で集中制御局からのＬＣＣＨフレーム中のＤＡに自端末アドレスを検出すると共に、ＤＡＴＡ部に集中制御局での登録を示すデータを確認した場合、Ｓ１０１２で集中制御局に対してＬＣＣＨフレームのＤＡに集中制御局のアドレス、ＤＡＴＡ部に立ち上げ完了を示す信号をのせＬＣＣＨフレームを送信する。該信号の出力が終了するとＳ１０１３で間欠受信処理へと移行し、ＣＮＴフレーム内のＷＡのアドレス情報の監視を行う。
【００９８】
２．ホッピングパターン変更時の処理
（１）集中制御局におけるホッピングパターン変更時の処理
図１２に集中制御局における動作時のフローチャートを示す。
【００９９】
Ｓ１２０１で通常の処理としてＣＮＴフレームを基本ホッピングパターンを基に出力しているときに、Ｓ１２０２で現在使用している基本ホッピングパターンの中で周波数環境の悪化している周波数があるかの監視を行う。該監視処理の結果、Ｓ１２０３で変更を行う必要のある周波数がないことを検出すると、Ｓ１２０１で再び通常処理を行う。Ｓ１２０３で使用している周波数の環境が悪化していることを検出しホッピングパターンの変更の必要があることを検出すると、Ｓ１２０４でホッピングパターン全体の再構築を行うかどうかを判断する。Ｓ１２０４で基本ホッピングパターン全体を再構築すると判断した場合は、Ｓ１２１０でＣＮＴフレームを用いて全端末局に対してホッピングパターンを構成している周波数全てを変更することを通知する。該処理後Ｓ１２１１で、端末局より該通知に対する応答が全ての端末局より応答があるかを検出する。Ｓ１２１１で端末局より応答がない場合はＳ１２１０でホッピングパターン変更通知を再送する。Ｓ１２１１で全ての端末局より応答を確認した場合はＳ１２１２でシステムで使用するホッピングパターンの変更を行う。
【０１００】
Ｓ１２０４でホッピングパターン全体でなくホッピングパターンを構成する周波数のいくつかを変更する場合は、Ｓ１２０５で間欠受信を行っている端末で使用している周波数情報と変更を予定している周波数情報との比較を行い、Ｓ１２０６で変更する周波数情報が、間欠受信を行っている端末局が間欠受信に使用している周波数情報と一致した場合、Ｓ１２０７で対応する端末局にホッピングパターンを変更する旨の制御信号を出力し、端末局において間欠受信を終了させる。Ｓ１２０６で一致する周波数がない場合は、Ｓ１２０９で端末局への変更通知なしに基本ホッピングパターンの変更を行う。Ｓ１２０７で端末局への通知が終了後Ｓ１２０８で所定時間が経過するかを監視する。所定時間が経過しない場合はＳ１２１３で間欠受信を行っている端末より間欠受信を終了したことを示す応答があるかを監視する。Ｓ１２１３で応答がない場合はＳ１２０８で所定時間の計時を行う。Ｓ１２１３で間欠受信端末より間欠受信終了を示す応答を受信した場合、Ｓ１２０９でホッピングパターンの変更処理を行う。また、Ｓ１２０８で所定時間が経過した場合は、間欠受信を行っている端末からの間欠受信の終了を示す応答信号を受信しない場合でも、Ｓ１２０９でホッピングパターンの変更を行い同期フレームのＮＦ部に変更した周波数情報をのせて出力を行う。
【０１０１】
（２）端末局における待ち受け時（間欠受信時）の処理
図１３に端末局における動作時のフローチャートを示す。
【０１０２】
端末局はＳ１３０１で電源立ち上げの処理が終了すると端末種別やスイッチ等の設定により間欠受信を行う間隔を決定し、間欠受信処理を開始する。
【０１０３】
この間欠受信は、電源立ち上げ時に獲得したホッピングパターンと、決定した間欠受信の間隔の関係から間欠受信を行う周波数を無線電話機もしくは無線アダプタの主制御部２０１、３０４で算出し、算出されたその周波数を用いて行われる。
【０１０４】
間欠受信の間隔がホッピングパターン１周期よりも短い場合は、ホッピングパターン１周期にかかる時間が間欠受信の間隔でちょうど割り切れると、ホッピングパターンが何周しても、ホッピングパターン１周の間に間欠受信を行う周波数は同じであり、ホッピングパターンが変更されるまでは一度算出した周波数を記憶しておけば良いので無線電話機や無線アダプタの設計が簡単になると共に効率良く間欠受信を行うことができる。
【０１０５】
また、間欠受信の間隔がホッピングパターン１周期より長い場合は、ホッピングパターン１周期の整数倍の時間と間欠受信の間隔が等しくなると間欠受信を行う周波数が常に同じとなり無線電話機や無線アダプタの設計が簡単になると共に効率良く間欠受信を行うことができる。
【０１０６】
次に、Ｓ１３０１で端末局がＣＮＴフレームを用いて間欠受信を行っている時、同時にＳ１３０２で起動時に認識した端末の種別情報に応じて所定時間の計時を行う。
【０１０７】
この時端末局が電話端末の場合、発信・着信が頻繁に行われるので、データ端末よりも種別情報の送信処理の間隔を短めにする。また、網制御装置等のＡＣ電源を有する端末は前記電話端末より送信間隔を短く設定する。また、データ端末においても、使用頻度および移動するかしないかにより種別情報の送信の間隔を設定可能にする。設定の方法としては端末の種別毎にあらかじめデフォルトで所定の間隔を設定する方法と、初期設定で手動によりディップスイッチキーによる入力により間欠受信の間隔の設定が考えられる。
【０１０８】
前記処理中に所定時間が経過しＳ１３０３で集中制御局からのＣＮＴフレームを間欠受信時の周波数で受信するための処理を行う。該処理の結果、Ｓ１３０４でＣＮＴフレームを受信できず、同期がとれない場合は、Ｓ１３１３で所定時間毎にＣＮＴフレームを間欠受信時の周波数で受信する処理を所定回数行う。Ｓ１３１３でＣＮＴフレームを受信でき同期が再びとれた場合は、再びＳ１３０１で間欠受信を継続する。また、Ｓ１３１３でＣＮＴフレームを受信できない場合、端末局は間欠受信時の周波数でＣＮＴフレームを受信して同期をとるために、間欠受信時の周波数で所定時間待期する（Ｓ１３１４）。
【０１０９】
その結果、間欠受信時の周波数でＣＮＴフレームを受信することができた時は（Ｓ１３１５）、ＣＮＴフレーム内のＮＦ部から次の単位時間にホッピングする周波数を取得する（Ｓ１３１５）。取得した周波数が所定数（ホッピングパターンの周波数の数）でなければ（Ｓ１３１７）、取得した周波数に移動して待期し（Ｓ１３１８）、Ｓ１３１５で再びＣＮＴフレームの受信を行う。
【０１１０】
また、Ｓ１３１７で所定数の周波数を取得したならば、Ｓ１３１９でホッピングパターンの獲得が完了したと判断し、Ｓ１３２０で集中制御局に対し獲得したホッピングパターンを基に該端末局が間欠受信時に待ち受ける周波数情報を集中制御局に通知し、その後Ｓ１３０１で、端末局は間欠受信処理を行う。
【０１１１】
また、Ｓ１３１５で間欠受信時の周波数ではＣＮＴフレームを受信することができなければ、Ｓ１３２１で図１０、図１１に示した様な立ち上げ処理を再び行う。
【０１１２】
Ｓ１３０４でＣＮＴフレームにより同期がとれた場合は、Ｓ１３０５で受信したアドレス情報部のデータを読み自端末アドレスと一致するかを確認する。該処理の結果、自端末アドレスと一致しない場合は、Ｓ１３０１で間欠受信処理を続ける。Ｓ１３０５で受信したアドレスが自端末アドレスと一致した場合は、Ｓ１３０６で制御チャネルのデータを受信し、制御データを解析する。該処理の結果、Ｓ１３０６で集中制御局よりホッピングパターン再設定要求が来た場合はＳ１３０８へ進む。
【０１１３】
また、Ｓ１３０６で集中制御局よりホッピングパターン再設定要求が行われない場合は、Ｓ１３０７で集中制御局より端末局で間欠受信に使用している周波数を変更する通知があるかを検出する。Ｓ１３０７で該変更要求が無い場合は他の制御の処理を行う。Ｓ１３０７で集中制御局より端末局で間欠受信に使用している周波数を変更する通知を検出した場合は、Ｓ１３０８へ進む。
【０１１４】
Ｓ１３０８では、図１１に示した様なホッピングパターン獲得処理を行い、即ち、間欠受信を終了し、Ｓ１３０９でホッピングパターン獲得処理に移行したことを示す応答信号を送信する。
【０１１５】
また、Ｓ１３０９で応答信号送信後、Ｓ１３１１で同一のホッピングパターンを複数回受信すると、ホッピングパターンが変更されたとみなし、Ｓ１３１２で間欠受信を行う。
【０１１６】
（３）システムの動作シーケンス
図１４に本システムのホッピングパターン変更時のシーケンスを示す。
【０１１７】
Ｓ１４０１・Ｓ１４０２で集中制御局がホッピング周波数ｆ１〜ｆ１０を用いてＣＮＴフレームを端末局に送信しているときに、端末局ではＣＮＴフレームをもとに周波数ｆ１で間欠受信を行う。図中の点線はＣＮＴフレームをホッピング周波数ごとに送信していることを示している。Ｓ１４０３で集中制御局においてホッピングパターンを変更する必要が出た場合、集中制御局は周波数ｆ１で間欠受信を行っている端末局を間欠受信を終了させる。またＳ１４０４で端末局にたいしｆ２を用いて論理制御チャネルでホッピングパターンを変更することを通知する。Ｓ１４０５で端末局が周波数ｆ３を用いて集中制御局にホッピングパターン変更確認送信し集中制御局が該信号を確認すると、Ｓ１４０６でＣＮＴフレーム上に変更する周波数情報（ｆ１１）をのせて端末局に送信する。端末局では周波数情報（ｆ１１）を受信すると該情報を基に周波数の切り換えを行いホッピングパターンの獲得を行う。Ｓ１４０８で端末局が集中制御局からのＣＮＴフレームをもとに周波数情報（ｆ１１〜２０）を獲得すると該周波数のうちの任意の周波数で間欠受信を開始する。本実施例においては周波数ｆ１１で間欠受信処理へと移行する。その後Ｓ１４０９で集中制御局からのＣＮＴフレームをｆ１１で所定の時間毎に受信を行う間欠受信を行う。
【０１１８】
以上説明したように、上記説明によれば、集中制御局で基本ホッピングパターンで使用している周波数を変更する場合には、端末局に対して基本ホッピングパターン自体の変更を行うのかまたホッピングパターンのなかの任意周波数を変更するのかの通知を行うことで、間欠受信を行っている端末局が無駄に再立ち上げすることがなくなり、端末局が操作不能な状態が発生する割合を低下させることで端末局の操作性を改善できる。
【０１１９】
また、システムに属する間欠受信を行っている端末局全てが、同時に操作不能になる状態が発生することをなくシステム全体の信頼性が向上する。
【０１２０】
また端末局が頻繁に再立ち上げの処理を行わなくなることで消費電力を抑えることができ、経済的な無線情報通信システムを提供できる。
【０１２１】
また、間欠受信の間隔とホッピングパターンの関係から適切な周波数を求めて間欠受信を行うことで間欠受信に関する設計を簡単にすることができると共に、効率良く間欠受信を行うことができる。
【発明の効果】
以上のように本発明によれば、ホッピングパターンを変更する場合に、間欠受信を行っている無線通信装置を無駄に再起動する必要がなくなり、さらに、無線通信装置が操作不能な状態が発生する割合を低下させることで操作性を改善できる。
【図面の簡単な説明】
【図１】本無線通信システムのシステム構成図。
【図２】本実施の形態で用いる無線電話機の内部構成図。
【図３】本実施の形態で用いる無線アダプタ内部構成図。
【図４】本実施の形態で用いる網制御装置の内部構成図。
【図５】本実施の形態で用いるフレーム内部のチャネル構成を示した図。
【図６】本実施の形態で用いる各チャネルの内部構成例。
【図７】本実施の形態で用いるチャネルコーデックの構成図。
【図８】本実施の形態で用いる集中制御局及び端末局間の電源投入シーケンス。
【図９】本実施の形態で用いる集中制御局における電源投入時の動作フローチャート。
【図１０】本実施の形態で用いる端末局における電源投入時の動作フローチャート。
【図１１】本実施の形態で用いる端末局のホッピングパターン獲得処理の動作フローチャート。
【図１２】本実施の形態に用いる集中制御局における電波環境悪化時の動作フローチャート。
【図１３】本実施の形態に用いる端末局における間欠受信時の動作フローチャート。
【図１４】本実施の形態におけるホッピングパターン変更時の動作シーケンス。
【図１５】従来の集中制御局の電波環境悪化時の動作を示すフローチャート。
【図１６】従来の端末局における間欠受信時の動作フローチャート。
【図１７】従来のシステムのホッピングパターン変更時の動作シーケンス。
【符号の説明】
１０１  網制御装置
１０２  公衆回線
１０３  無線電話機
１０４〜１０９  無線データ端末
【図１】
0003639668.tif 000002
【図２】
0003639668.tif 000003
【図３】
0003639668.tif 000004
【図４】
0003639668.tif 000005
【図５】
0003639668.tif 000006
【図６】
0003639668.tif 000007
【図７】
0003639668.tif 000008
【図８】
0003639668.tif 000009
【図９】
0003639668.tif 000010
【図１０】
0003639668.tif 000011
【図１１】
0003639668.tif 000012
【図１２】
0003639668.tif 000013
【図１３】
0003639668.tif 000014
【図１４】
0003639668.tif 000015
【図１５】
0003639668.tif 000016
【図１６】
0003639668.tif 000017
【図１７】
0003639668.tif 000018